(57)【要約】【課題】足踏み健康器を提供する。【解決手段】足踏み健康器は、一つの底座１、二つの板体２、２、及び二つの弾性ユニット３、３を有する。底座１上方の左右両側の中空に並列する板体２、２と、板体２、２下方に取り付けた弾性ユニット３、３によって、使用者は両足で二つの板体２、２を踏んで上下させる時、弾性ユニット３、３の弾力によって、使用者に上下運動の動作を行なわせるサポートをする。また、本考案は運動、フィットネス及び娯楽等の目的を実現し、面白みに富む運動器具として商品化価値を備えたものである。【選択図】図１
0003195102.tif 000002
【実用新案登録請求の範囲】
【請求項１】
一つの底座、二つの板体、及び二つの弾性ユニットを有する足踏み健康器であって、
前記底座は、底板を備え、前記底板には二つの連接体を別々に設け、
前記各板体は、弾性ユニットの上部にそれぞれ取り付け、
前記各弾性ユニットの上部と前記板体とを結合し、前記各弾性ユニットの一端には一つの軸嵌合体を設置し、前記軸嵌合体は軸を介して前記連接体に軸着し、
前記各弾性ユニットには一つの固定板を含み、前記固定板には一つの弧形板を連接し、前記弧形板の底部末端にはキャスターを配置することを特徴とする足踏み健康器。
【請求項２】
請求項１に記載の足踏み健康器において、
前記底板は「工」の字形をなし、前記底板両側の外側エッジの末端には、延在するスライド板を設け、尚且つ前記各弧形板の底部末端には前記キャスターをそれぞれ配置し、前記各キャスターを前記スライド板上にちょうどよく位置させることを特徴とする足踏み健康器。
【請求項３】
請求項１または請求項２に記載の足踏み健康器において、
前記弾性ユニットには一つの固定板を含み、嵌合板を前記固定板に嵌設するとともに、前記嵌合板と板体の底部とを結合することを特徴とする足踏み健康器。
【請求項４】
請求項１から請求項３のいずれかに記載の足踏み健康器において、
前記底座上には更に棒体を配置し、前記棒体の底部には螺着板を備え、前記螺着板は前記底座に連接し、前記棒体の上部は棒部材と把持部を備えることを特徴とする足踏み健康器。
【考案の詳細な説明】
【技術分野】
【０００１】
本考案は、運動健康器具に関するものであり、更に明確には、使用者が立って弾力的に上下する運動及び目下流行中の乗馬ダンスの姿勢を行なわせる足踏み健康器である。
【背景技術】
【０００２】
土地が狭く人が密集している台湾では、人々は生活空間が狭く制限を受けている。加えて仕事が忙しく多大なストレスがあり、心臓と肺臓の機能が衰えている者も多く、筋持久力が不足し、体力評価は標準値を下回り、数歩歩いただけでも牛のように息切れし、体力がなくしょっちゅう病気をしている。それらの大きな原因は運動不足にあり、多くの人が運動が身体にとって重要である事を理解し、時間のある時にできる限り時間を作って運動している。実際には運動する時間がないというのは言い訳であり、例えば家で或いは事務所で簡単な室内健康或いは運動器具を使うことも可能であり、わざわざ交通手段を使って往復したり天候を心配する事なく運動及びフィットネスができる。一般に提供されている室内使用の運動健康器具には、電動ルームランナー、重量トレーニング器、ウォーカー、鉄アレイ等、少なくとも数百種の器具がある。現有の室内用運動健康器具の種類は非常に多いものの、多くの製品の使用形態は既に公開使用されてから数十年経過しており、長く使用していると新鮮感がなくなって興味が失せる。現在の市場では継続的に新製品を送り出して話題をつくり興味を持たせることによって消費者の購買欲を刺激しているという事を理解する必要がある。
【考案の概要】
【考案が解決しようとする課題】
【０００３】
本考案の主な目的は、足踏み健康器を提供することにある。この運動形態は現在流行している乗馬ダンスに符合する器具構造であり、使用者がその上に立って弾力的に上下するもので、使用者に立式運動、乗馬ダンスを模擬的に表現する動作を行なわせるものである。以上の通り、運動形態が流行に符合するため、消費者の注目を集めることができ、運動の動機を高めると同時に、販売量の向上等の諸々の目的を獲得できる。
【課題を解決するための手段】
【０００４】
前記目的を達成するために、本考案足踏み健康器の主な技術手段は主に、一つの底座、二つの板体、及び二つの弾性ユニットを有する。
【０００５】
前記底座は一つの底板を備え、前記底板はほぼ「工」の字形をなす。
【０００６】
前記底板両側の外側エッジの末端には、延在する一つのスライド板を設ける。
【０００７】
前記底板の適当箇所には二つの連接体を並列させて別々に設ける。
【０００８】
前記板体は一つの弾性ユニットの上部に取り付け、弾性ユニットの一端には一つの軸嵌合体を設け、前記軸嵌合体と連接体は軸を介して連結される。
【０００９】
前記弾性ユニットの構造には一つの固定板を含み、固定板の外側嵌合部には一つの嵌合板を備え、嵌合板一端の底部には一つの弧形板を連接し、前記弧形板の底部末端には一つのキャスターを設置し、そのキャスターを底座のスライド板上にちょうどよく位置させる。
【００１０】
前記固定板と板体を結合した後、前記固定板は嵌合板に結合する。
【００１１】
前記底座上には更に一つの棒体を配置する。前記棒体の底部には一つの螺着板を備え、螺着板には底座に連接させるための穴を貫設する。また、棒体の上部には棒部材と把持部を設ける。
【考案の効果】
【００１２】
本考案の足踏み健康器は、前記構造の設置を通して運動とフィットネス、娯楽等効果を兼ね備えた面白みに富む運動器具となった。使用者は両足で二つの板体を踏んで上下させる時、弾性ユニットの弾力によって使用者に上下運動の動作、立式運動、乗馬ダンスを模擬的に表現する動作を行なわせるサポートをする。よって、消費者の注目を集めさせ、運動動機を高めると同時に、販売量をアップさせ、大きな商業的価値を備える効果を有することを特徴とする。
【図面の簡単な説明】
【００１３】
【図１】本考案足踏み健康器の立体外観図である。
【図２】本考案足踏み健康器のもう一つの立体外観図である。
【図３】本考案足踏み健康器の動作図である。
【考案を実施するための形態】
【００１４】
図１及び図２に示すとおり、本考案の足踏み健康器は主に、一つの底座１、二つの板体２、及び二つの弾性ユニット３を有する。
【００１５】
前記底座１は底板１１を備え、底板１１はほぼ「工」の字形をなす。底板１１両側の外側エッジの末端には、延在するスライド板１２を設ける。また、底板１１の適当箇所には二つの連接体１３を並列させて別々に設ける。
【００１６】
前記板体２は弾性ユニット３の上部に取り付け、弾性ユニット３の一端には軸嵌合体３１を設け、軸嵌合体３１と連接体１３は軸３２を介して連結される。
【００１７】
前記弾性ユニット３の構造には一つの固定板３３を含み、固定板３３の外側嵌合部には一つの嵌合板３４を備え、嵌合板３４一端の底部には一つの弧形板３５を連接し、弧形板３５の底部末端にはキャスター３６を設置し、各キャスター３６を底座１のスライド板１２上にちょうどよく位置させる。
【００１８】
前記固定板３３と板体２を結合した後、固定板３３は嵌合板３４に結合する。
【００１９】
前記底座１上には更に棒体４を配置する。棒体４の底部には螺着板４１を備え、螺着板４１には底座１に連接させるための穴４２を貫設する。また、棒体４の上部には棒部材４３と把持部４４を設ける。
【００２０】
図３に示すとおり、前記構造を完全に組み立てた後、使用者は両足５それぞれで二つの板体２を踏み、弾力的に上下させる時、各弾性ユニット３の弧形板３５が提供する弾力を利用する。使用者の重量が下方にかかる時、各弧形板３５は下向きに変形し、各キャスター３６はスライド板１２上で後方にスライドし、各板体２は下方に移動する。また、各弧形板３５の弾力をさらに用いて板体２は上方向に弾力的に戻り、各キャスター３６も各スライド板１２上で前方向にスライドし元の位置に戻る。以上の通り、本考案は使用者が上下運動、模擬的に立って乗馬する運動、ジャンプする乗馬ダンス運動を行なうサポートをし、運動、フィットネス、娯楽等の目的を実現させる。
【００２１】
本考案の棒体４は、使用者がそれを両手で握りバランスを取るのをサポートする働きがある。
【符号の説明】
【００２２】
１…底座
１１…底板
１２…スライド
１３…連接体
２…板体
３…弾性ユニット
３１…軸嵌合体
３２…軸
３３…固定板
３４…嵌合板
３５…弧形板
３６…キャスター
４…棒体
４１…螺着板
４２…穴
４３…棒部材
４４…把持部
５…足
【図１】
0003195102.tif 000003
【図２】
0003195102.tif 000004
【図３】
0003195102.tif 000005